(57)【要約】【課題】  自動販売機の利用者に対して、金種投入時に適切なガイダンス表示を行うことによって自動販売機の利便性を向上させた自動販売機を提供する。【解決手段】  投入された金銭に対する受け払いを実行する金銭授受装置と、この金銭授受装置から得られる情報に従って物品の販売を制御する主制御部とを具備した自動販売機に適用されて、前記金銭授受装置は、前記主制御部から受け入れが禁止された金種の投入を検出したとき、その旨の情報を前記主制御部に通知する手段を備える一方、主制御部は、この情報を用いて自動販売機の利用者に各種インフォメーションを提供する。【選択図】      図３
2005115682.tif 000002
【特許請求の範囲】
【請求項１】
投入された金銭に対する受け払いを実行する金銭授受装置と、この金銭授受装置から得られる情報に従って物品の販売を制御する主制御部とを具備した自動販売機であって、
前記金銭授受装置は、前記主制御部から受け入れが禁止された金種の投入を検出したとき、または予め定められた受け入れが禁止された金種の投入を検出したとき、その旨の情報を前記主制御部に通知する手段を備えることを特徴とする自動販売機。
【請求項２】
前記主制御部は、前記金銭授受装置に対して販売停止を指令した際、該金銭授受装置から金種投入の通知を受けたとき準備中である旨を示す第１の表示形態、前記主制御部が指令した受入不能の金種が投入された通知を受けたとき該金種が受入不能である旨を示す第２の表示形態、および前記主制御部が指令した受入可能の金種が投入された通知を受けたときその投入金額を示す第３の表示形態が択一的に表示設定される表示器と
を備えることを特徴とする請求項１に記載の自動販売機。
【請求項３】
請求項１または２に記載の自動販売機であって、
前記主制御部は、前記金銭授受装置に対して販売停止を指令した際、該金銭授受装置から金種投入の通知を受けたとき準備中である旨を示す第１の音声ガイダンス出力形態、および前記主制御部が指令した受入不能の金種が投入された通知を受けたとき該金種が受入不能である旨を示す第２の音声ガイダンス出力形態が択一的に出力される音声ガイダンス出力手段を備えることを特徴とする自動販売機。
【請求項４】
前記金銭授受装置は、硬貨識別装置および／または紙幣識別装置からなるものである請求項１乃至３のいずれかに記載の自動販売機。
【発明の詳細な説明】
【技術分野】
【０００１】
本発明は、自動販売機で販売される商品を購入するにあたり、その購入の利便性を向上させた簡易な構成の自動販売機に関する。
【背景技術】
【０００２】
一般に自動販売機は、例えば図１に示すように本体１の前面に投入される紙幣および硬貨の種別を判定する紙幣識別装置３と硬貨識別装置４とからなる金銭授受装置が設けられている。一方、自動販売機の販売制御は、本体１の内部に設けられた主制御部５によって行われるようになっている。この主制御部５は、図２に示すように金銭授受装置３，４と伝送路６を介して相互通信が可能となるように構成されている（例えば、特許文献１を参照）。
【０００３】
主制御部５は、自動販売機で販売される商品の販売の許可／停止の制御を行う際、伝送路６を介して金銭授受装置３，４に対して販売を禁止する指令を与える。一方、主制御部５から販売を停止する指令を受けた金銭授受装置３，４は、該金銭授受装置３，４に投入された金種を自動販売機の利用者に返却する。また主制御部５は、金銭授受装置３，４に対して、使用不能な金種を伝送路６を介して指令することも行う。例えば主制御部５は、紙幣識別装置３に対して２０００円紙幣の使用を禁止したり、或いは硬貨識別装置４に対して旧５００円硬貨の使用を禁止したりする等の指令を行う。
【０００４】
概略的には上述したように構成された自動販売機において、詳しくは前記主制御部５には、自動販売機の販売制御を行うメインＣＰＵ７および、このメインＣＰＵ７の指令を受けて、前扉２に設けられた商品選択釦および投入金額等を表示する表示器からなる入出力部８と、この入出力部８の制御を司るインタフェースＣＰＵ９が設けられている。
一方、紙幣識別装置３には、主制御部５の指令を受けて紙幣識別装置３に投入される紙幣の管理・制御を行うビルバリＣＰＵ１０が設けられている。このビルバリＣＰＵ１０は、詳細は後述するが、紙幣識別装置３に投入された紙幣を感知する紙幣感知部１１、投入された紙幣の種別および該紙幣の真偽を判別する紙幣識別部１２、紙幣識別装置３に紙幣を取り込みまたは紙幣を払い出す紙幣取込／払出機構１３をそれぞれ制御する。
【０００５】
また硬貨識別装置４には、主制御部５の指令を受けて硬貨識別装置４に投入された硬貨の管理・制御を行うコインメカＣＰＵ１４が設けられている。このコインメカＣＰＵ１４は、詳細は後述するが、硬貨識別装置４に投入される硬貨の真偽を判別する硬貨識別部１５、この硬貨識別部１５で識別された硬貨の種別毎に硬貨を振り分ける硬貨振分機構１６、釣り銭または投入された硬貨を返却する硬貨払出機構１７をそれぞれ制御するものとなっている。
【０００６】
このように構成された自動販売機において、主制御部５によって取込が禁止された紙幣や硬貨が投入されたとき、紙幣識別装置３および硬貨識別装置４は、主制御部５に通知することなく紙幣識別装置３および硬貨識別装置４がそれぞれ該紙幣または該硬貨を返却する。
【特許文献１】特願２００３−１４０６７５号
【発明の開示】
【発明が解決しようとする課題】
【０００７】
しかしながら上述したように構成された自動販売機にあっては、主制御部５によって商品の販売が停止されているとき、または主制御部５によって使用が禁止された金種の指定がなされたとき等の際、金銭授受装置３，４に投入された金種は、何らのガイダンスがないままそのまま返却口（図示せず）に返却されるのみである。したがって、自動販売機の利用者は、何故投入した金種が返却されたのが解らないという問題があった。このため自動販売機の利用者は、該自動販売機の故障と勘違いする懸念がある。このようなことから従来の自動販売機においては、商品販売の機会を逸するという問題があった。
【０００８】
本発明はかかる従来の事情に対処してなされたものでありその目的は、自動販売機の利用者に対して、金種投入時に適切なガイダンス表示を行うことによって自動販売機の利便性を向上させた自動販売機を提供することにある。
【課題を解決するための手段】
【０００９】
上述した目的を達成するため本発明に係る自動販売機は、投入された金銭に対する受け払いを実行する金銭授受装置と、この金銭授受装置から得られる情報に従って物品の販売を制御する主制御部とを具備した自動販売機であって、前記金銭授受装置は、前記主制御部から受け入れが禁止された金種の投入を検出したとき、または予め定められた受け入れが禁止された金種の投入を検出したとき、その旨の情報を前記主制御部に通知する手段を備えることを特徴としている。
【００１０】
このため主制御部は、金銭授受装置から通知される投入金種情報を用いて自動販売機の利用者に種々のガイダンスを行うこと等が可能となり、ひいては自動販売機の利便性を向上させることができる。
好ましくは前記主制御部は、前記金銭授受装置に対して販売停止を指令した際、該金銭授受装置から金種投入の通知を受けたとき準備中である旨を示す第１の表示形態、前記主制御部が指令した受入不能の金種が投入された通知を受けたとき該金種が受入不能である旨を示す第２の表示形態、および前記主制御部が指令した受入可能の金種が投入された通知を受けたときその投入金額を示す第３の表示形態が択一的に表示設定される表示器とを備えることが望ましい。
【００１１】
より好ましくは、前記主制御部は、前記金銭授受装置に対して販売停止を指令した際、該金銭授受装置から金種投入の通知を受けたとき準備中である旨を示す第１の音声ガイダンス出力形態、および前記主制御部が指令した受入不能の金種が投入された通知を受けたとき該金種が受入不能である旨を示す第２の音声ガイダンス出力形態が択一的に出力される音声ガイダンス出力手段を備えることが望ましい。
【００１２】
このため、主制御部によって自動販売機の物品の販売が停止されているとき、または主制御部によって使用が禁止された金種が金銭授受装置に投入された際、販売停止またはその使用が禁止されている金種が投入された旨をガイダンス表示または音声通知することができる。ちなみに前記金銭授受装置は、硬貨識別装置および／または紙幣識別装置からなるものとして構成される。
【発明の効果】
【００１３】
以上説明したように、本発明に係る自動販売機にあっては、販売停止中に金種が投入されたという情報または使用が許可されていない金種が投入されたという情報を金銭授受装置（硬貨識別装置、紙幣識別装置）から販売制御を司る主制御部に通知するように構成しているので、主制御部はこの情報を用いることによって自動販売機の利用者に対して、金種投入時に適切なガイダンスを行うことが可能になり、その利便性を向上させることができる等の実用上多大なる効果を奏する。
【発明を実施するための最良の形態】
【００１４】
以下、本発明の一実施形態に係る自動販売機に関し、図面を参照しながら説明する。
本発明の一実施形態に係る自動販売機の概略構成は、図１および図２に示すように上述した従来の自動販売機と同様の構成形態をとっている。そしてこの自動販売機に設けられた金銭授受装置３，４は、基本的には図３の概略動作フローチャートに示す手順に従って作動する。
【００１５】
尚、このフローチャートに図示する制御手順において主制御部５は、金銭授受装置３，４に対して金種の受入を許可または禁止する指令を行ったものとしている。具体的に主制御部５が金銭授受装置３，４に与える金種の受入を禁止する指令（受入禁止指令）は、物品の販売を停止する販売停止指令、予め定めた金種（例えば旧５００円硬貨、２０００円札等）の受入を禁止する使用不可金種指令である。
【００１６】
まず金銭授受装置３，４は、貨幣（硬貨または紙幣）の投入を待つ［ステップＳ１］。金銭授受装置３，４は、ステップＳ１で貨幣が投入されたと判断したとき、前述したように主制御部５から予め販売停止指定（金種受入不可）の設定がなされているとき［ステップＳ２］、該金銭授受装置３，４に金種が投入されたことを主制御部５に通知する［ステップＳ３］。そして主制御部５は、ステップＳ３で貨幣の投入がなされたことを受けて入出力部８に設けられた表示部（図示せず）に準備中である旨を表示する［ステップＳ４］。次いで金銭授受装置３，４は、投入された貨幣を返却する（返却処理）［ステップＳ５］。
【００１７】
一方、金銭授受装置３，４は、ステップＳ２で金種の投入があり、かつ、主制御部５から販売停止指定を受けていないと判断した場合、投入された金種が前述した主制御部５から設定された使用不可金種でないかどうかを判定する［ステップ６］。このステップＳ６で金銭授受装置３，４は、使用不可金種でないと判断したとき、その金種を主制御部５に通知する［ステップＳ７］。そして主制御部５は、利用者が希望する商品の払出しを行うと共に、金銭授受装置３，４に対して精算処理の指示を与える（通常販売処理）［ステップＳ８］。
【００１８】
また金銭授受装置３，４は、ステップＳ６で使用が許可されていない金種が投入されたと判断したときは、その金種を主制御部５へ通知する［ステップＳ９］。そして主制御部５は、入出力部８に設けられた表示部（図示せず）に使用を許可していない金種が投入された旨の表示を行う［ステップＳ１０］と共に、金銭授受装置３，４に対して投入された金種の払出指令を出す（返却処理）［ステップＳ１１］。
【００１９】
このように本発明に係る自動販売機が特徴とするところは、販売停止指令または使用を許可指令しない金種が金銭授受装置３，４に投入された際、この投入情報を主制御部５に通知する手段を有する点にある。
概略的には上述したようなフローチャートに基づいて作動する本発明に係る自動販売機の紙幣識別装置３に関して、より詳細に図４および図５に示すフローチャートに基づいて説明する。ここではまず主制御部５が紙幣識別装置３に対して例えば釣り銭切れなどで、紙幣による販売を停止する指令を出力した場合の作動手順を示す図４のフローチャートに基づいて説明する。
【００２０】
まず主制御部５は、紙幣識別装置３に対して販売停止を指示、すなわち紙幣の受付禁止を指示する［ステップＳ２０］。紙幣識別装置３のビルバリＣＰＵ１０は、主制御部５から紙幣受付禁止の指令を受けて［ステップＳ２１］、紙幣感知部１１へ紙幣感知を開始する指示を与える［ステップＳ２２］と共に、紙幣取込／払出機構１３に対して紙幣の取込を停止させる紙幣取込停止指令を与える［ステップＳ２３］。
【００２１】
次いで紙幣感知部１１は、図示しない投入口へ紙幣が投入されるのを待つ［ステップＳ２４］。そしてビルバリＣＰＵ１０は、ステップＳ２４で紙幣感知部１１が投入口へ紙幣が投入されたことを感知すると感知フラグをオンにセットすると共に［ステップＳ２５］、この感知フラグを主制御部５に送信する［ステップＳ２６］。
主制御部５は、この感知フラグがセットされたデータを受けて［ステップＳ２７］、入出力部８に設けられた音声合成装置（図示せず）を用いて、投入した紙幣は使えない旨のガイダンスを行う［ステップＳ２８］。このステップＳ２８で音声合成装置が行う通知は、例えば「ただ今、お札は使えません」等のように音声出力される。もちろん入出力部８に設けた表示器にて、投入したお札が使えない旨を表示するようにしてもよい。
【００２２】
次に主制御部５が紙幣識別装置３に対して、２０００円札だけを使用禁止とし、それ以外の金種の札の使用を許可した場合、その手順を示す図５のフローチャートに基づいて説明する。尚、この図においては、紙幣識別装置３の作動手順の理解を容易にするため、使用可能な紙幣として１０００円札を、使用不能な紙幣として２０００円札を設定した場合についてのみ記載したものである。しかしながら、他の種類の紙幣に関しても同様に使用可能または使用不能と設定すれば同様に紙幣の取込／返却を行うことも勿論可能であるということは言うまでもない。
【００２３】
さて主制御部５は、紙幣識別装置３に対して１０００円札の受け入れを許可し（受入許可）、２０００円札を受け付け不可（使用不能）とする指令を出す［ステップＳ３０］。紙幣識別装置３のビルバリＣＰＵ１０は、主制御部５から１０００円札の受入許可指令および２０００円札使用不能指令を受けて［ステップＳ３１］、紙幣感知部１１へ紙幣感知を介する指示を与える［ステップＳ３２］。そして紙幣感知部１１は、紙幣の投入を待つ［ステップＳ３３］。ビルバリＣＰＵ１０は、ステップＳ３３で紙幣感知部１１が紙幣の投入を検出すると紙幣取込／払出機構１３に該紙幣の取込指令を出す［ステップＳ３４］。そしてこの取込指令を受けた紙幣取込／払出機構１３は、投入された紙幣を取り込む［ステップＳ３５］。
【００２４】
このようにして紙幣識別装置３に取り込まれた紙幣は、紙幣識別部１２により１０００円札か２０００円札であるかが判定される［ステップＳ３６］。紙幣識別部１２は、ステップＳ３６で取り込まれた紙幣が１０００円札であると判定した場合、さらにその１０００円札が正紙幣であるかどうかを判定する［ステップＳ３７］。このステップＳ３７で１０００円札が正紙幣であると判定がなされた場合、ビルバリＣＰＵ１０は、１０００円札を正しく受け取った受付通知を主制御部５に送信する［ステップＳ３８］。主制御部５は、紙幣識別装置３が出力した受付通知を受けて［ステップＳ３９］、入出力部８に１０００円札の受付け表示および販売可能な商品のボタンを点灯させる［ステップＳ４０］。
【００２５】
一方、ステップＳ３６で紙幣識別部１２は、ステップＳ３５で取り込んだ紙幣が２０００円札であると判定した場合、更にその２０００円札が正紙幣であるかどうかを判定する［ステップＳ４１］。このステップＳ４１で２０００円札が正紙幣であると判定がなされた場合、ビルバリＣＰＵ１０は、該２０００円札の受入禁止を判断し［ステップＳ４２］、２０００円札禁止状態にも拘わらず２０００円札が投入されたことを示す禁止受付フラグをオンにする［ステップＳ４３］。そうしてビルバリＣＰＵ１０は、紙幣識別装置３内に取り込んだ紙幣を払い出すべく紙幣取込／払出機構１３に払出指令を出力する［ステップＳ４４］。紙幣取込／払出機構１３は、この排出指令を受けて紙幣識別装置３内に取り込んだ紙幣を払い出す払出動作を実行する［ステップＳ４５］。
【００２６】
次いでビルバリＣＰＵ１０は、前述した禁止受付フラグがセットされている場合、２０００円札が投入されたという情報を主制御部５に転送する［ステップＳ４６］。主制御部５は、この２０００円が投入されたという情報を受けて［ステップＳ４７］、入出力部８に設けられた音声合成装置（図示せず）を用いて、投入した紙幣は使えない旨のガイダンスを行う［ステップＳ４８］。このステップＳ４８で音声合成装置が行う通知は、例えば「２０００円札はお取り扱いできません」等のように音声出力される。もちろん入出力部８に設けた表示器にて、投入した２０００円札が使えない旨を表示するようにしてもよい。
【００２７】
一方、ステップＳ３７およびステップＳ４１で投入された紙幣が正紙幣ではない（偽紙幣）と判断した場合、ステップＳ４４、Ｓ４５を順次実行する。この場合は、ステップＳ４２でビルバリＣＰＵ１０が行う禁止受付フラグの設定がなされていないので、紙幣識別装置３は待機状態に戻る。
次に図３に示した概略的なフローチャートに基づいて作動する本発明に係る自動販売機の硬貨識別装置４に関して、より詳細に図６および図７に示すフローチャートに基づいて説明する。ここではまず、主制御部５が硬貨識別装置４に対して例えば商品切れまたは釣り銭切れなどで、貨幣による販売を停止する指令を出力した場合のフローチャートを示す図６に基づいて説明する。
【００２８】
まず主制御部５は、硬貨識別装置４に対して販売停止を指示、すなわち硬貨の受付禁止を指令する［ステップＳ５０］。硬貨識別装置４のコインメカＣＰＵ１４は、主制御部５から販売停止の指令を受けて［ステップＳ５１］、硬貨識別部１５へ硬貨の受付禁止指令を与える［ステップＳ５２］。
次いで硬貨識別部１５は、投入されたが正貨であるかどうかを判定する［ステップＳ５３］。硬貨識別部１５は、このステップＳ５３で投入された硬貨が正貨であると判定した場合、ステップＳ５２で受付禁止指令を受けているため、この硬貨を返却させるべく該硬貨識別部１５が行った正貨判定を強制的に偽貨判定に修正する［ステップＳ５４］。尚、硬貨識別部１５は、ステップＳ５３で投入された硬貨が偽貨であると判定したときは、次のステップＳ５５へ制御を移行させる。
【００２９】
このようにして正貨または偽価のいずれの硬貨に対しても偽価判定をした硬貨識別部１５は、その結果（偽貨投入あり）を示すフラグ（識別フラグ）をセット（オン）してコインメカＣＰＵ１４に送信する［ステップＳ５５］と共に、硬貨識別部１５に投入された硬貨を素通りさせる指令を硬貨振分機構１６に与える［ステップＳ５６］。すると硬貨振分機構１６は、投入された硬貨を素通りさせる［ステップＳ５７］。このように硬貨識別装置４は、投入された硬貨を素通り（払出し）させた後、硬貨が投入された旨を主制御部５に通知する［ステップＳ５８］。
【００３０】
主制御部５は、この識別フラグを受けて［ステップＳ５９］、入出力部８に設けられた音声合成装置（図示せず）を用いて、例えば「ただ今、準備中です」等のように音声出力する［ステップＳ５９ａ］。勿論ステップＳ５９ａで主制御部５は、入出力部８に設けた表示器（図示せず）にて、該自動販売機が準備中である旨を表示するようにしてもよい。
次に主制御部５が硬貨識別装置４に対して、旧５００円硬貨を使用することを許可または禁止する場合について、図７に示すフローチャートに基づき説明する。尚、この図においては、理解を容易にするため、旧５００円硬貨の使用の可否について例示したものであるが、本発明に係る自動販売機は、他の種類の硬貨に関しても同様に使用可能または使用不能と設定することが可能である。
【００３１】
さて主制御部５は、硬貨識別装置４に対して旧５００円硬貨の受付の可否を通知する［ステップＳ６０］。主制御部５が旧５００円硬貨の受付を許可したとき［ステップＳ６１］、コインメカＣＰＵ１４は、硬貨識別部１５に対して旧５００円硬貨を受け付ける指令を出す［ステップＳ６２］。そして硬貨識別部１５は、硬貨識別装置４に投入された旧５００円硬貨が正貨であるかどうかを識別する［ステップＳ６３］。硬貨識別部１５は、ステップＳ６３で投入された硬貨が正貨であると判定した場合、硬貨振分機構１６に対して該硬貨を受け入れるよう指令を出す［ステップＳ６４］。そして硬貨振分機構１６は、この硬貨受入指令を受けて投入された硬貨を受け入れる［ステップＳ６５］。次いでコインメカＣＰＵ１４は、旧５００円硬貨を受け入れた旨の受付信号を主制御部５に送信する［ステップＳ６６］。
【００３２】
主制御部５は、コインメカＣＰＵ１４からの硬貨受付信号を受けて［ステップＳ６７］、入出力部８に５００円硬貨の受付け表示および販売可能な商品のボタンを点灯させる［ステップＳ６８］。
一方、ステップＳ６１で主制御部５が硬貨識別装置４に対して旧５００円硬貨の使用を禁止したとき、コインメカＣＰＵ１４は、硬貨識別部１５に対して旧５００円硬貨の受付を禁止する指令を出す［ステップＳ６９］。そして硬貨識別部１５は、投入された旧５００円硬貨が正貨であるか偽価であるかの識別を行う［ステップＳ７０］。このステップＳ７０で硬貨識別部１５は、投入された旧５００円硬貨が正貨であると判定した場合、前述したように旧５００円硬貨の使用を禁止しているため、該旧５００円硬貨を払い戻すべく強制的に偽貨判定に変更する［ステップＳ７１］。硬貨識別部１５は、この偽貨判定を受けて投入された硬貨が偽貨である修正判定フラグをオンに設定する［ステップＳ７２］。
【００３３】
そして硬貨識別部１５は、偽貨判定された硬貨を素通りさせる指示を硬貨振分機構１６に与える［ステップＳ７３］。すると硬貨振分機構１６は、投入された硬貨を素通りさせて返却口に払い出す［ステップＳ７４］。このときコインメカＣＰＵ１４は、ステップＳ７２で硬貨識別部１５により硬貨識別装置４に投入された旧５００円が正貨であると判定された修正判定フラグが設定されているので、旧５００円硬貨の使用が禁止されているにも係わらず旧５００円硬貨の正貨が投入された旨を主制御部５に通知する［ステップＳ７５］。
【００３４】
一方、主制御部５は、コインメカＣＰＵ１４から旧５００円硬貨の投入通知を受けて［ステップＳ７６］、入出力部８に設けられた音声合成装置（図示せず）を用いて、例えば「旧５００円はお取り扱いできません」等のように音声出力する。もちろん主制御部５は、入出力部８に設けた表示器にて、旧５００円硬貨が使用できない旨の表示を行ってもよい。
【００３５】
尚、硬貨識別部１５は、ステップＳ６３およびステップＳ７０で投入された硬貨が偽貨であると判断した場合、ステップＳ７３、Ｓ７４を順次実行する。この場合、修正判定フラグは、硬貨識別部１５がステップＳ７１およびステップＳ７２の処理を行わないのでオフである。このためコインメカＣＰＵ１４は、再び硬貨入力待ちの待機状態へ移行する［ステップＳ７５］。
【００３６】
かくしてこのように構成された自動販売機によれば、主制御部５から受け入れが禁止された金種の投入を金銭授受装置３，４が検出したとき、その検出情報を主制御部５に通知する手段を備えているので、主制御部によって自動販売機の物品の販売が停止されているとき、または主制御部によって使用が禁止された金種が金銭授受装置に投入された際、販売停止またはその使用が禁止されている金種が投入された旨をガイダンス表示または音声通知することができる。このため、自動販売機の利用者に対して適切なアドバイスを行うことが可能となり、自動販売機の利便性を向上させることができる。
【図面の簡単な説明】
【００３７】
【図１】一般的な自動販売機の構造を示す斜視図である。
【図２】図１に示す自動販売機に適用される主制御部、紙幣識別装置および硬貨識別装置の構成を示すブロック図である。
【図３】本発明の一実施形態に係る概略制御手順を示すフローチャートである。
【図４】本発明の一実施形態に係る紙幣識別装置の作動手順を示すフローチャートである（紙幣受入禁止時）。
【図５】本発明の一実施形態に係る紙幣識別装置の作動手順を示すフローチャートである（２０００円札受入禁止時）。
【図６】本発明の一実施形態に係る硬貨識別装置の作動手順を示すフローチャートである（硬貨受入禁止時）。
【図７】本発明の一実施形態に係る硬貨識別装置の作動手順を示すフローチャートである（旧５００円硬貨受入禁止時）。
【符号の説明】
【００３８】
３      紙幣識別装置
４      硬貨識別装置
５      主制御部
７      メインＣＰＵ
１０      ビルバリＣＰＵ
１１      紙幣感知部
１２      紙幣識別部
１３      紙幣取込／払出機構
１４      コインメカＣＰＵ
１５      硬貨識別部
１６      硬貨振分機構
１７      硬貨払出機構
【図１】
2005115682.tif 000003
【図２】
2005115682.tif 000004
【図３】
2005115682.tif 000005
【図４】
2005115682.tif 000006
【図５】
2005115682.tif 000007
【図６】
2005115682.tif 000008
【図７】
2005115682.tif 000009